(57)【要約】【解決手段】コンテナーを構成する側壁４少なくとも１つに形成された窓部４ａを開閉する扉部材Ｄが、横開き状態に配設されている横開き状態に配設されているコンテナーに関するものである。【効果】コンテナーを構成する側壁の少なくとも１つに形成された窓部を開閉する扉部材を、横開き状態に配設したので、従来のコンテナーのように、開けられた扉部材が、下方に位置するコンテナーへの物品の出し入れの邪魔になるようなことがない。【選択図】図７
2004035046.tif 000002
【特許請求の範囲】
【請求項１】
コンテナーを構成する側壁の少なくとも１つに形成された窓部を開閉する扉部材が、横開き状態に配設されていることを特徴とするコンテナ−。
【発明の詳細な説明】
【０００１】
【発明の属する技術分野】
本発明は、各種物品を、運搬、搬送或いは保管するために使用されるコンテナーに関するものである。
【０００２】
【従来の技術】
従来、一方の相対する側壁を、上下方向に分割するとともにヒンジ連結した分割側壁とし、また、もう一方の相対する側壁を、上部の支点を中心に上方に回動可能としたはね上げ側壁とした折り畳みコンテナ−において、はね上げ側壁に、下方の支点を中心に下方に回動する扉を配設し、扉を開くことにより、折り畳みコンテナ−内に収納された物品を取り出すことができるように構成された折り畳みコンテナーが知られている（例えば、特公平３−２９６５７号公報等）。
【０００３】
そして、箱型に組み立てられた折り畳みコンテナーは、上下方向に積み重ね、また、左右方向に並設して配置され、このように配置された折り畳みコンテナーへの物品の出し入れは、はね上げ側壁に配設された扉を介して行われている。
【０００４】
【発明が解決しようとする課題】
上下、左右方向に配置された折り畳みコンテナーへの物品の出し入れを行う際に、上述した従来の折り畳みコンテナーのように、下方の支点を中心に下方に回動する扉が配設されている場合には、下方に回動された扉が、下に位置する折り畳みコンテナーの扉に重なり、従って、下に位置する折り畳みコンテナーへの物品の出し入れを行う場合には、一旦、上に位置する折り畳みコンテナーの扉を閉じなければならず、折り畳みコンテナーへの物品の出し入れの作業性が悪くなるという問題があった。
【０００５】
本発明の目的は、上述した従来のコンテナーが有する課題を解決することにある。
【０００６】
【課題を解決するための手段】
本発明は、上述した目的を達成するために、コンテナーを構成する側壁の少なくとも１つに形成された窓部を開閉する扉部材を、横開き状態に配設したものである。
【０００７】
【実施例】
以下に、本発明の実施例について説明するが、本発明の趣旨を越えない限り何ら、本実施例に限定されるものではない。なお、本実施例においては、コンテナーの一例としての折り畳みコンテナーを例に、本発明の実施例について説明するが、折り畳みコンテナーに限定することなく、折り畳むことができないボックスコンテナーに適用することもできる。
【０００８】
折り畳みコンテナ−は、額縁状の上部フレーム１と底部２と相対する分割側壁３と相対するはね上げ側壁４とにより構成されている。そして、分割側壁３は、上下に分割された上部側壁３ａと下部側壁３ｂとから形成されており、上部側壁３ａの下端部と下部側壁３ｂの上端部とはヒンジ連結されているとともに、上部側壁３ａの上端部は、上部フレーム１にヒンジ連結され、また、下部側壁３ｂは、底部２にヒンジ連結されている。また、はね上げ側壁４の上端部は、上部フレーム１にヒンジ連結されており、はね上げ側壁４は、はね上げ側壁４の上端部と上部フレーム１とのヒンジ連結部を中心に、上方に回動するように構成されている。
【０００９】
図１に示されている箱型に組み立てられた折り畳みコンテナーを、図３に示されているように折り畳むには、先ず最初に、略垂直状態のはね上げ側壁４を、上方に回動させて、図２に示されているように、略水平状態にし、その後、分割側壁３を構成する上部側壁３ａと下部側壁３ｂとを、それぞれ、重なるように屈曲させることにより折り畳むことができるように構成されている。
【００１０】
Ｄは、はね上げ側壁４に形成された方形状の窓部４ａに配設される扉部材である。以下に、図４〜図７を用いて、扉部材や扉部材のはね上げ側壁４への取り付け等について説明する。なお、扉部材Ｄは、相対する両方のはね上げ側壁４に配設することもできるが、一方のはね上げ側壁４のみに配設することもできる。
【００１１】
扉部材Ｄが配設されるはね上げ側壁４の一方の垂直枠４ｂの上下端部付近には、垂直枠４ｂの内面から突出するように、軸孔ｈ１ａを有する半円柱状体ｈ１が取着されており、また、半円柱状体ｈ１の間に位置する垂直枠４ｂには、縦長のスリットｈ２ａを有する水平断面形状が略Ｃ字状の樋状体ｈ２が、垂直枠４ｂの内面から突出するように取着されている。なお、本実施例には、半円柱状体ｈ１の中間に、１個の樋状体ｈ２が取着されている例が示されているが、複数個、取着することもできる。
【００１２】
５は、細長い扁平な略角柱状の中間軸部材であり、中間軸部材５の一方の辺部の上下両端部付近には、はね上げ側壁４の垂直枠４ｂの上下端部付近に配設された半円柱状体ｈ１が挿入可能な端部凹部５ａが形成されており、また、端部凹部５ａの外側に位置する半円柱状体５ｂには、軸孔５ｂ１が穿設されており、更に、端部凹部５ａを挟んで半円柱状体５ｂに対向する部分も、所定の深さの軸孔５ｂ２が穿設されている。また、中間軸部材５の中間部にも中間凹部５ｃが形成されており、中間凹部５ｃ内には、中間凹部５ｃを形成する上面５と下面とを架橋する軸ピン５ｄが配設されている。この中間凹部５ｃには、はね上げ側壁４の垂直枠４ｂに配設された樋状体ｈ２が挿入されるとともに、中間凹部５ｃ内に配設された軸ピン５ｄが、樋状体ｈ２に形成されたスリットｈ２ａを経て、樋状体ｈ２内に保持されるように構成されている。軸ピンｄｃを有する中間凹部５ｃは、はね上げ側壁４の垂直枠４ｂに配設された樋状体ｈ２に対応して配設されており、樋状体ｈ２が複数個、配設されている場合には、樋状体ｈ２に対応して、軸ピン５ｄを有する中間凹部５ｃも同じ数、配設されている。
【００１３】
中間軸部材５のもう一方の辺部の上下両端部付近には、所定の間隙を置いて配置された一対の半円柱状体５ｅ１からなる軸ピン受け部材５ｅが配設されており、また、一対の半円柱状体５ｅ１には、軸孔５ｅ１’が穿設されている。また、軸ピン受け部材５ｅの中間には、はね上げ側壁４の一方の垂直枠４ｂに配設された樋状体ｈ２と同様の縦長のスリット５ｆ１を有する水平断面形状が略Ｃ字状の樋状体５ｆが突設されている。なお、本実施例には、軸ピン受け部材５ｅの中間に、１個の樋状体５ｆが取着されている例が示されているが、複数個、取着することもできる。
【００１４】
中間軸部材５の中間凹部５ｃに、はね上げ側壁４の垂直枠４ｂに配設された樋状体ｈ２を挿入し、中間軸部材５の中間凹部５ｃ内に配設された軸ピン５ｄを、はね上げ側壁４の垂直枠４ｂに配設された樋状体ｈ２に形成されたスリットｈ２ａを経て、樋状体ｈ２内に保持するとともに、中間軸部材５の一方の辺部の両端部付近に形成された端部凹部５ａに、はね上げ側壁４の垂直枠４ｂの上下端部付近に配設された半円柱状体ｈ１を挿入し、その後、中間軸部材５に形成された半円柱状体５ｂの軸孔５ｂ１、半円柱状体５ｂに対向する部分に穿設された軸孔５ｂ２及びはね上げ側壁４の垂直枠４ｂの上下端部付近に配設された円筒体ｈ１に穿設された軸孔ｈ１ａに、ヒンジピンｐ１を嵌入することにより、はね上げ側壁４の垂直枠４ｂと中間軸部材５とがヒンジ連結されるように構成されている。
【００１５】
扉部材Ｄの一方の側部の上下両端部付近には、中間軸部材５の上下両端部付近に配設された軸ピン受け部材５ｅを構成する半円柱状体５ｅ１と同様の軸孔ｄ１ａが穿設された半円柱状体ｄ１が突設されている。また、半円柱状体ｄ１間には、凹部ｄ２を介して、半円柱状の張出部ｄ３が形成されており、更に、張出部ｄ３の中央部にも凹部ｄ３ａが形成されており、凹部ｄ３ａ内には、凹部ｄ３ａを形成する上面と下面とを架橋する軸ピンｄ３ｂが配設されている。
【００１６】
扉部材Ｄに形成された半円柱状体ｄ１を、中間軸部材５のもう一方の辺部の上下両端部付近に形成された軸ピン受け部材５ｅを構成する一対の半円柱状体５ｅ１間の間隙に挿入するとともに、軸ピン受け部材５ｅの中央寄りの半円柱状体５ｅ１を、扉部材Ｄに形成された凹部ｄ２に挿入し、その後、扉部材Ｄに形成された半円柱状体ｄ１の軸孔ｄ１ａ、中間軸部材５に形成された軸ピン受け部材５ｅを構成する一対の半円柱状体５ｅ１の軸孔５ｅ１’及び凹部ｄ２を挟んで位置する半円柱状の張出部ｄ３に穿設された所定の深さを有する軸孔ｄ３ｃに、ヒンジピンｐ２を嵌入する。また、扉部材Ｄに形成された凹部ｄ３ａに、中間軸部材５に形成された樋状体５ｆを挿入するとともに、扉部材Ｄに形成された凹部ｄ３ａ内に配設された軸ピンｄ３ｂを、中間軸部材５に配設された樋状体５ｆに形成されたスリット５ｆ１を経て、樋状体５ｆ内に保持する。このようにして、扉部材Ｄが、はね上げ側壁４の垂直枠４ｂにヒンジ連結されている中間軸部材５に、ヒンジ連結されるように構成されている。
【００１７】
なお、はね上げ側壁４には、必要に応じて、はね上げ側壁４の垂直枠４ｂに配設された半円柱状体ｈ１及び樋状体ｈ２の背面に当接するとともに、垂直枠４ｂに沿って延在する回動阻止板４ｃを形成することができる。このような回動阻止板４ｃを配設することにより、はね上げ側壁４に対して、中間軸部材５が、箱型に組み立てられた状態の折り畳みコンテナーの内側方向に回動しないように構成されている。同様に、中間軸部材５の軸ピン受け部材５ｅ及び樋状体５ｆの背面に当接するとともに、中間軸部材５の高さ方向に延在する回動阻止板５ｇを形成することができる。このような回動阻止板５ｇを配設することにより、中間軸部材５に対して、扉部材Ｄが、箱型に組み立てられた状態の折り畳みコンテナーの内側方向に回動しないように構成されている。
【００１８】
中間軸部材５にヒンジ連結された側と反対側に位置する扉部材Ｄの側部付近には、上部水平枠６ａ、下部水平枠６ｂ、上部水平枠６ａの側部と反対側の端部と下部水平枠６ｂの側部と反対側の端部とを連結する垂直枠６ｃ及び上部水平枠６ａと下部水平枠６ｂと垂直枠６ｃの先端を連結するように配設された前壁６ｄとからなる保持部材６が取着されている。また、前壁６ｄには、上下方向に所定の間隔を置いて、一対の横長溝６ｅが穿設されているとともに、扉部材Ｄの側部側に位置する前壁６ｄには、切り欠き凹部６ｆが形成されている。更に、垂直枠６ｃ付近の前壁６ｄには、上下方向に所定の間隔を置いて、一対の透孔６ｇが穿設されている。
【００１９】
７は、扁平なブロック状のロック部材であり、ロック部材７は、垂直部７ａと垂直部７ａの両端部付近から水平方向に延在する水平部７ｂとを有しており、水平部７ｂの先端面には、係合片７ｃが突設されている。また、垂直部７ａ或いは水平部７ｂには、ロック部材７を、保持部材６内に配設した際に、保持部材６の前壁６ｄに穿設された一対の横長溝６ｅに挿入される突起７ｄが一対突設されている。
【００２０】
８は、スプリング部材であり、スプリング部材８は、板状の主部８ａと、主部８ａに連接された、互いに遠ざかるように、外側に向かって傾斜した一対の弾性片８ｂとを有している。また、板状の主部８ａに所定の間隔を置いて形成された張出部８ｃには、突起８ｄが突設されており、スプリング部材８を、扉部材Ｄに配設された保持部材６内に配置した際には、突起８ｄが、扉部材Ｄに配設された保持部材６の前壁６ｄに穿設された透孔６ｇに嵌入され、スプリング部材８が、保持部材６内に固定的に配設されるように構成されている。
【００２１】
次に、扉部材Ｄに、ロック部材７及びスプリング部材８を配設する手段について説明する。
【００２２】
先ず最初に、スプリング部材８の弾性片８ｂが、保持部材６の開口側、即ち、垂直枠６ｃとは反対側に位置するように、扉部材Ｄに配設された保持部材６内に、スプリング部材８を挿入するとともに、スプリング部材８の張出部８ｃに突設された突起８ｄを、扉部材Ｄに配設された保持部材６の前壁６ｄに穿設された透孔６ｇに嵌入することにより、保持部材６内にスプリング部材８を取り付ける。次いで、ロック部材７を、突起７ｄが、保持部材６の前壁６ｄに穿設された横長溝６ｅに挿入されるように、扉部材Ｄに配設された保持部材６内に挿入する。なお、扉部材Ｄに配設された保持部材６内に、ロック部材７が配設された際には、ロック部材７の垂直部７ａが、扉部材Ｄの側部側に位置する前壁６ｄに形成された切り欠き凹部６ｆ内に位置するように構成されている。
【００２３】
上述したようにして、扉部材Ｄに配設された保持部材６内に、スプリング部材８とロック部材７が配設された際には、スプリング部材８の弾性片８ｂの弾性力により、ロック部材７の係合片７ｃが、扉部材Ｄの垂直辺ｄ４から突出するように構成されている。そして、スプリング部材８の弾性片８ｂの弾性力に抗して、ロック部材７を、扉部材Ｄとはね上げ側壁４とのヒンジ連結部方向に移動させると、ロック部材７の係合片７ｃは、扉部材Ｄの垂直辺ｄ４から引っ込むように構成されている。このロック部材７の移動の際には、ロック部材７の垂直部７ａ或いは水平部７ｂに突設された突起７ｄが、扉部材Ｄに配設された保持部材６の前壁６ｄに穿設された横長溝６ｅ内を、水平方向に移動可能なように構成されている。
【００２４】
扉部材Ｄにより、はね上げ側壁４に形成された窓部４ａを閉じた状態では、スプリング部材８の弾性片８ｂの弾性力により、扉部材Ｄの垂直辺ｄ４から突出しているロック部材７の係合片７ｃは、ロック部材７と対向しているはね上げ側壁４の垂直枠４ｄに形成されている係合凹部４ｄ１に挿入されており、従って、扉部材Ｄが、はね上げ側壁４にロックされ、扉部材Ｄが開かないように構成されている。
【００２５】
上述したように、扉部材Ｄが、はね上げ側壁４にロックされ、扉部材Ｄが閉じられている状態から、段積みされた状態の箱型に組み立てられた折り畳みコンテナーに物品を収納したり、或いは、箱型に組み立てられた折り畳みコンテナーから物品を取り出すために、扉部材Ｄを開ける場合には、先ず最初に、スプリング部材８の弾性片８ｂの弾性力に抗して、ロック部材７を、扉部材Ｄとはね上げ側壁４とのヒンジ連結部方向に移動させて、ロック部材７の係合片７ｃを、はね上げ側壁４の垂直枠４ｄに形成されている係合凹部４ｄ１から排出するとともに、扉部材Ｄの垂直辺ｄ４から引っ込ませる。次いで、扉部材Ｄを、はね上げ側壁４の垂直枠４ｂと中間軸部材５とのヒンジ連結部を中心に、手前方向に横開き状態に回動させることにより、図７に示されているように、扉部材Ｄを、はね上げ側壁４に対して略垂状態になるようにして、はね上げ側壁４の窓部４ａを開ける。このように、扉部材Ｄを、横開き可能にはね上げ側壁４に配設するとともに、扉部材Ｄを、はね上げ側壁４に対して略垂状態になるまで、手前方向に回動させることにより、下方に位置する折り畳みコンテナー及び横方向に位置する折り畳みコンテナーへの物品の出し入れが、回動された扉部材Ｄにより、阻害されるようなことがない。
【００２６】
また、上述したように、扉部材Ｄが、はね上げ側壁４に対して略垂状態に位置した状態から、更に、扉部材Ｄを回動させると、扉部材Ｄと中間軸部材５とのヒンジ連結部を中心に、扉部材Ｄは、図９に示されているように、はね上げ側壁４に対して、最大限、略１８０度まで回動することができるので、上下方向及び左右方向に段積みされた折り畳みコンテナーの前面通路を、扉部材Ｄが塞ぐようなことを防止することができる。
【００２７】
上述した実施例には、はね上げ側壁４の一方の垂直枠４ｂに、中間軸部材５を介して、１個の扉部材Ｄを横開き状態に配設し、はね上げ側壁４の窓部４ａを、開閉するように構成した例が示されているが、はね上げ側壁４の両方の垂直枠４ｂ、４ｄに、上記の扉部材Ｄの半分の幅を有する２個の扉部材Ｄを、それぞれ、間軸部材５を介して配設することにより、所謂、観音開き可能な扉部材に構成することもできる。
【００２８】
なお、上述した実施例には、扉部材Ｄを、はね上げ側壁４の垂直枠４ｂに、中間軸部材５を介してヒンジ連結した例が示されているが、中間軸部材５を省略し、扉部材Ｄを、はね上げ側壁４の垂直枠４ｂに、直に、配設するように構成することもできる。
【００２９】
また、上述した実施例には、上部フレーム１と底部２と相対する分割側壁３と相対するはね上げ側壁４とからなる折り畳みコンテナーのはね上げ側壁４に、横開きの扉部材Ｄを配設した例が示されているが、分割側壁３を構成する上部側壁３ａ或いは下部側壁３ｂに、扉部材Ｄを配設することができる。
【００３０】
更に、上述した横開きの扉部材Ｄを、底部と底部の一方の相対する辺部にヒンジ連結された側壁と底部のもう一方の相対する辺部にヒンジ連結された側壁とからなる折り畳みコンテナーの何れかの側壁に配設することもできる。上記の折り畳みコンテナーは、箱型に組み立てられた状態から、一方の相対する側壁を、底部に重なるように倒し、次いで、もう一方の相対する側壁を、前記の底部に重ねられた側壁に重ねるように倒すことにより、折り畳むことができるように構成されている。
【００３１】
更にまた、上述した横開きの扉部材Ｄを、折り畳むことができない従来のボックスコンテナーの少なくとも１つの側壁に配設することもできる。
【００３２】
上述したようなコンテナーが大きい場合には、側壁に配設された扉部材Ｄも大きくなり、従って、扉部材Ｄを、はね上げ側壁４の垂直枠４ｂと中間軸部材５とのヒンジ連結部等を中心に、手前方向に横開き状態に回動させる際の扉部材Ｄの回動半径が大きくなり、コンテナーの手前に大きなスペースを設けたり、或いは、両側に段積みされたコンテナー間に設けられた通路の幅を広くしなければならず、よって、コンテナーの収容スペースが無駄になるという問題がある。このような問題を解決するために、扉部材Ｄを左右の２枚の副扉に分割するとともに、２枚の副扉をヒンジ部材によりヒンジ連結することにより、扉部材Ｄを折り畳むことができるように、或いは、副扉を、ヒンジ部を境に屈曲するように構成することができる。このように、扉部材Ｄを、ヒンジ連結された副扉により構成し、折り畳むことができるように、或いは、ヒンジ部を境に屈曲するように構成することにより、コンテナーの手前に設けるスペースを少なくすることができ、また、両側に段積みされたコンテナー間に設けられた通路の幅を狭くすることができ、従って、コンテナーの収容スペースを節約することができる。
【００３３】
【発明の効果】
本発明は、以上説明したように構成されているので、以下に記載する効果を奏することができる。
【００３４】
コンテナーを構成する側壁の少なくとも１つに形成された窓部を開閉する扉部材を、横開き状態に配設したので、従来のコンテナーのように、開けられた扉部材が、下方に位置するコンテナーへの物品の出し入れの邪魔になるようなことがない。
【図面の簡単な説明】
【図１】図１は本発明の折り畳みコンテナ−が箱型に組み立てられた状態の斜視図である。
【図２】図２は本発明の折り畳みコンテナ−の折り畳み途中の斜視図である。
【図３】図３は本発明の折り畳みコンテナ−が折り畳まれた状態の斜視図である。
【図４】図４は本発明の折り畳みコンテナ−を構成する扉部材や中間軸部材等の分解斜視図である。
【図５】図５は同じく本発明の折り畳みコンテナ−を構成する扉部材や中間軸部材等の拡大分解斜視図である。
【図６】図６は本発明の折り畳みコンテナ−を構成する扉部材の分解斜視図である。
【図７】図７は本発明の折り畳みコンテナ−の部分斜視図である。
【図８】図８は同じく本発明の折り畳みコンテナ−の部分斜視図である。
【図９】図９は同じく本発明の折り畳みコンテナ−の部分斜視図である。
【符号の説明】
Ｄ・・・・・・・・扉部材
１・・・・・・・・上部フレーム
２・・・・・・・・底部
３・・・・・・・・分割側壁
４・・・・・・・・はね上げ側壁
５・・・・・・・・中間軸部材
６・・・・・・・・保持部材
７・・・・・・・・ロック部材
８・・・・・・・・スプリング部材
【図１】
2004035046.tif 000003
【図２】
2004035046.tif 000004
【図３】
2004035046.tif 000005
【図４】
2004035046.tif 000006
【図５】
2004035046.tif 000007
【図６】
2004035046.tif 000008
【図７】
2004035046.tif 000009
【図８】
2004035046.tif 000010
【図９】
2004035046.tif 000011